(57)【要約】      （修正有）【課題】食卓や宴席等において、音を鳴らして楽しむことができる飲用容器の提供を目的とする。【解決手段】従来のＰｂレス黄銅合金はＰｂの代替としてＢｉが添加されていたが、Ｂｉも重金属であり、引用に用いるためにはＢｉレスが好ましく、またＣｄの含有量も１０ｐｐｍ以下となっていることが好ましい。Ｓｉの添加により快削性を、またＰの添加にて耐食性を改善し、Ｐｂ成分０．０９質量％以下のＰｂレス黄銅合金からなり、音を鳴らして楽しむことができる飲用容器を開発した。【選択図】図１
2018130507.tif 000002
【特許請求の範囲】
【請求項１】
Ｐｂ成分０．０９質量％以下のＰｂレス黄銅合金からなる飲用容器であって、音を鳴らして楽しむことができることを特徴とする飲用容器。
【請求項２】
前記Ｐｂレス黄銅合金はＣｕ：７３〜７８質量％，Ｓｉ：２．７〜３．４質量％，Ｐ：０．０４〜０．２０質量％含有し、残部がＺｎ及び不可避的不純物からなることを特徴とする請求項１記載の飲用容器。
【請求項３】
前記飲用容器はコップ形状であることを特徴とする請求項１又は２記載の飲用容器。
【請求項４】
飲用容器は上部が開口した本体部を有し、前記本体部の底部は台部から立設した脚部に連結してあり、
前記本体部は内周部又は／及び外周部に凹部溝部又は／及び凸部条部を形成してあり、音を鳴らして楽しむことができることを特徴とする飲用容器。
【発明の詳細な説明】
【技術分野】
【０００１】
本発明はパーティや祝宴、食卓等において音を鳴らして楽しむための飲用容器に関する。
【背景技術】
【０００２】
宴席等においては、宴席のスタートとしてグラス等に飲み物を注いで乾杯等が行われている。
従来のグラスを用いた乾杯であっては、グラスが割れないようにお互いに気を遣いながら軽く打ち合うだけであり、音を鳴らして楽しむという状態には至らない。
【０００３】
特許文献１にはワインボトルをワイングラスにすることができる液体容器を開示し、一部金属製についても言及されているが、具体的にどのような金属を用いて製作するかは不明である。
また、各種ステンレスタンブラーが市販されているものの、音を鳴らして楽しむものではない。
【先行技術文献】
【特許文献】
【０００４】
【特許文献１】特表２０１３−５３３１７４号公報
【発明の概要】
【発明が解決しようとする課題】
【０００５】
本発明は、食卓や宴席等において、音を鳴らして楽しむことができる飲用容器の提供を目的とする。
【課題を解決するための手段】
【０００６】
本発明に係る飲用容器は、Ｐｂ成分０．０９質量％以下のＰｂレス黄銅合金からなる飲用容器であって、音を鳴らして楽しむことができることを特徴とする。
従来の黄銅合金は、鋳造性、鍛造性、快削性等の観点からＰｂが含まれていたために飲用に用いられることはできなかったが、本発明はＰｂレス（Ｐｂフリー）の黄銅合金を用いることで飲用に製作できる。
【０００７】
本発明において、前記Ｐｂレス黄銅合金はＣｕ：７３〜７８質量％，Ｓｉ：２．７〜３．４質量％，Ｐ：０．０４〜０．２０質量％含有し、残部がＺｎ及び不可避的不純物からなるものが例として挙げられる。
従来のＰｂレス黄銅合金は、Ｐｂの代替としてＢｉが添加されていたが、Ｂｉも重金属であり、飲用に用いるためにはＢｉレス（Ｂｉフリー）が好ましい。
Ｃｄの含有量は、１０ｐｐｍ以下になっているのが好ましい。
このような黄銅合金はＳｉの添加で快削性を改善し、Ｐの添加にて耐食性を改善している。
【０００８】
本発明において、飲用容器を黄銅製のコップ形状にしたことにより相互に軽く打ち当てたり、物に当てることで澄んだ音からなる打音とその後の共鳴音がなり、音を鳴らして楽しむことができる。
【０００９】
本発明にてコップ形状とは、清酒，ワイン，シャンパン，リキュール，ビール，ジュース等の各種飲料に合ったものが選定される。
例えば、タンブラー，ゴブレット等が例として挙げられる。
ゴブレットはタンブラーに脚部と台部とを設けたものであり、脚部を手で軽く持ったことで音が鳴りやすくなる。
【００１０】
本発明者が、いろいろな飲料を注いで音を鳴らす実験をしたところ、水，清酒等は注ぐ量により音色が変化するものの空の状態に近い長く響く音色であった。
ところが、驚くべくことにビール等の発泡性の飲料を注ぐと極端に音が変化することが判明した。
そこで、Ｐｂレスの黄銅合金に拘る必要がなく、また飲料の影響をなるべく受けないような音がよく鳴る容器として、飲用容器は上部が開口した本体部を有し、前記本体部の底部は台部から立設した脚部に連結してあり、前記本体部は内周部又は／及び外周部に凹部溝部又は／及び凸部条部を形成してあり、音を鳴らして楽しむことができるものでもよい。
【発明の効果】
【００１１】
本発明における音を鳴らして楽しむ飲料容器は、Ｐｂレスの黄銅合金からなり、音の響きがステンレスとは全く異なり、共鳴音，余韻が残るものとなる。
これにより、乾杯等が楽しくなり、より盛り上がる宴席となる。
また、これまで杯を乾した証拠の動作として、さかさまにして見せるといったことが、よく行われているが、本発明の飲用容器であれば、音色の変化で空に近い状態になっていることを知る楽しみが生まれるため、その必要性もなくなる。
もちろん、杯の中の液体の量によっては多少音色が変わるので、その途中、途中の音色を楽しむと言った効果もある。
互いに本発明の飲用容器の淵を触れ合わせることで、音を鳴らすことの他に単独で、音を鳴らして楽しんでもよい。
さらには、本発明の飲用容器ごとに固有振動数を変えて、調和の音や相乗効果的な音の演出を楽しむとした使い方も可能である。
【図面の簡単な説明】
【００１２】
【図１】本発明に係る飲用容器の構造例を示す。
【図２】（ａ）は飲用容器が空の状態、（ｂ）は約７０％飲料を注いだ状態でのそれぞれの打音時の計測周波数チャートを示す。
【図３】実施例２を示す。
【図４】実施例３を示す。
【図５】実施例４を示す。
【図６】実施例５を示す。
【図７】実施例６を示す。
【図８】実施例７を示す。
【図９】実施例８を示す。
【発明を実施するための形態】
【００１３】
以下、本発明に係る飲用容器１０の構造例を説明するが、本発明はこれに限定されない。
【００１４】
Ｃｕ：７５．５質量％，Ｓｉ：３．０質量％，Ｐ：０．１質量％，Ｐｂ：０．０９質量％以下で残部が実質的にＺｎからなる黄銅合金を用いて祖材を鋳造し、切削加工した飲料容器１０を図１に示す。
図１は飲用容器１０の縦断面図を示し、中心線廻りに回転対称となっている。
よって、各部位の横断面はリング又は円形状になっている。
上部が開口し、外形が円錐台形状からなる本体部１３の底部に脚部１２とその下に台部１１を有する。
本実施例では、飲料を注ぐための容器状の本体部１３の開口部外形約４０ｍｍ，深さ約３５ｍｍ，台部の外形約３６ｍｍ，台部１１の底面から脚部１２の長さ（高さ）約２５ｍｍとなっている。
本体部１３の側壁面の側壁肉厚約１〜１．５ｍｍ，脚部１２の外形５〜８ｍｍとなっている。
【００１５】
この飲用容器１０同士を空の状態で軽く打ち当てて発生した音の周波数チャートを図２（ａ）に示し、水を約７０％注いだ状態の周波数チャートを図２（ｂ）に示す。
同チャートは横軸に周波数、縦軸に発生した音の強さ、ｄＢを表す。
主に聞こえた音の周波数は２，３５０Ｈｚ、５，４３７Ｈｚ、９，７０３Ｈｚの３つのピークであり、空の状態と水を約７０％注いだ状態では音の音色が変わるものの、ピークを示す位置には大きな差がなかった。
これにより本発明に係る飲用容器は、乾杯ゴブレット等として有用であることが分かる。
【００１６】
図３〜図９にそれぞれ実施例２〜８を示す。
なお、各図において（ａ）平面図、（ｂ）正面図、（ｃ）底面図、（ｄ）断面図を示す。
図３の実施例２は本体部１３の内周面にリング状の溝部１３ａを形成した例である。
この部分の肉厚をうすくすることで上部が振動しやすくしたものであり、溝部の断面は半円、Ｖ字ノッチ状、断面コ字形状等、断面形状に制限はない。
図４は、実施例３として内周部に２つのリング状溝部１３ａ，１３ｂを形成した例であり、溝部の本数に制限はない。
図５，図６は実施例４，５を示し、外周部に凸条状部１３ｃ，１３ｄを形成した例を示す。
図７，８は実施例６，７を示し、外周部にリング状の溝部１３ｅ，１３ｆを形成した例である。
図９は、本体部に縦長の溝部１３ｇを形成した実施例８である。
【符号の説明】
【００１７】
１０      飲用容器
１１      台部
１２      脚部
１３      本体部
【図１】
2018130507.tif 000003
【図２】
2018130507.tif 000004
【図３】
2018130507.tif 000005
【図４】
2018130507.tif 000006
【図５】
2018130507.tif 000007
【図６】
2018130507.tif 000008
【図７】
2018130507.tif 000009
【図８】
2018130507.tif 000010
【図９】
2018130507.tif 000011